【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
無線リソース制御シグナリングに基づいて、ＥＰＤＣＣＨモニタリングのための複数のＥＰＤＣＣＨセットを設定する無線リソース制御部と、
ＰＵＣＣＨリソースオフセットが前記無線リソース制御シグナリングによってそれぞれに対して設定される前記複数のＥＰＤＣＣＨセットに基づいて、ＥＰＤＣＣＨ候補セットをモニタする受信部と、
ＥＰＤＣＣＨの検出によって指示されたＰＤＳＣＨ送信に対するＨＡＲＱ応答情報を、ＰＵＣＣＨリソースを使用して送信する送信部と、
を備え、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれに付けられた番号である
端末装置。
【請求項２】
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して独立に設定される前記ＰＵＣＣＨリソースオフセットと、に基づいて決定され、
前記ＥＣＣＥのセットに対するＥＣＣＥインデックスは、前記複数のＥＰＤＣＣＨセットのそれぞれに独立して付けられた番号である
請求項１に記載の端末装置。
【請求項３】
前記ＰＵＣＣＨリソースオフセットは、セルにおいて設定されたＰＵＣＣＨリソースの最小インデックスと、前記ＥＰＤＣＣＨセットのＥＰＣＣＥインデックスとの対応付けが開始される前記ＰＵＣＣＨリソースのインデックスとの間の相対的な数の差である
請求項１または請求項２に記載の端末装置。
【請求項４】
端末装置と通信する基地局装置であって、
無線リソース制御シグナリングに基づいて、ＥＰＤＣＣＨモニタリングのための複数のＥＰＤＣＣＨセットを設定する無線リソース制御部と、
ＰＵＣＣＨリソースオフセットが前記無線リソース制御シグナリングによってそれぞれに対して設定される前記複数のＥＰＤＣＣＨセットに基づいて、ＥＰＤＣＣＨを送信する送信部と、
ＥＰＤＣＣＨの検出によって指示されたＰＤＳＣＨ送信に対するＨＡＲＱ応答情報を、ＰＵＣＣＨリソースを使用して受信する受信部と、
を備え、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセット対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれに付けられた番号である
基地局装置。
【請求項５】
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセット対して設定される前記ＰＵＣＣＨリソースオフセットと、に基づいて決定され、
前記ＥＣＣＥのセットに対するＥＣＣＥインデックスは、前記複数のＥＰＤＣＣＨセットのそれぞれに独立して付けられた番号である
請求項４に記載の基地局装置。
【請求項６】
前記ＰＵＣＣＨリソースオフセットは、セルにおいて設定されたＰＵＣＣＨリソースの最小インデックスと、前記ＥＰＤＣＣＨセットのＥＰＣＣＥインデックスとの対応付けが開始される前記ＰＵＣＣＨリソースのインデックスとの間の相対的な数の差である
請求項４または請求項５に記載の基地局装置。
【請求項７】
基地局装置と通信する端末装置に用いられる通信方法であって、
無線リソース制御シグナリングに基づいて、ＥＰＤＣＣＨモニタリングのための複数のＥＰＤＣＣＨセットを設定するステップと、
ＰＵＣＣＨリソースオフセットが前記無線リソース制御シグナリングによってそれぞれに対して設定される前記複数のＥＰＤＣＣＨセットに基づいて、ＥＰＤＣＣＨ候補セットをモニタするステップと、
ＥＰＤＣＣＨの検出によって指示されたＰＤＳＣＨ送信に対するＨＡＲＱ応答情報を、ＰＵＣＣＨリソースを使用して送信するステップと、
を有し、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれに付けられた番号である
通信方法。
【請求項８】
端末装置と通信する基地局装置に用いられる通信方法であって、
無線リソース制御シグナリングに基づいて、ＥＰＤＣＣＨモニタリングのための複数のＥＰＤＣＣＨセットを設定するステップと、
ＰＵＣＣＨリソースオフセットが前記無線リソース制御シグナリングによってそれぞれに対して設定される前記複数のＥＰＤＣＣＨセットに基づいて、ＥＰＤＣＣＨを送信するステップと、
ＥＰＤＣＣＨの検出によって指示されたＰＤＳＣＨ送信に対するＨＡＲＱ応答情報を、ＰＵＣＣＨリソースを使用して受信するステップと、
を有し、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれに付けられた番号である
通信方法。
【請求項９】
基地局装置と通信する端末装置に搭載される集積回路であって、
無線リソース制御シグナリングに基づいて、ＥＰＤＣＣＨモニタリングのための複数のＥＰＤＣＣＨセットを設定する機能と、
前記複数のＥＰＤＣＣＨセットに基づいて、ＥＰＤＣＣＨ候補セットをモニタする機能と、
ＰＵＣＣＨリソースオフセットが前記無線リソース制御シグナリングによってそれぞれに対して設定されるＥＰＤＣＣＨの検出によって指示されたＰＤＳＣＨ送信に対するＨＡＲＱ応答情報を、ＰＵＣＣＨリソースを使用して送信する機能と、
を含む一連の機能を前記端末装置に実現させる集積回路であり、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定されるＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれに付けられた番号である
集積回路。
【請求項１０】
端末装置と通信する基地局装置に搭載される集積回路であって、
無線リソース制御シグナリングに基づいて、ＥＰＤＣＣＨモニタリングのための複数のＥＰＤＣＣＨセットを設定する機能と、
ＰＵＣＣＨリソースオフセットが前記無線リソース制御シグナリングによってそれぞれに対して設定される前記複数のＥＰＤＣＣＨセットに基づいて、ＥＰＤＣＣＨを送信する機能と、
ＥＰＤＣＣＨの検出によって指示されたＰＤＳＣＨ送信に対するＨＡＲＱ応答情報を、ＰＵＣＣＨリソースを使用して受信する機能と、
を含む一連の機能を前記基地局装置に実現させる集積回路であり、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは前記複数のＥＰＤＣＣＨセットのそれぞれに付けられた番号である
集積回路。
【手続補正２】
【補正対象書類名】明細書
【補正対象項目名】発明の名称
【補正方法】変更
【補正の内容】
【発明の名称】端末装置、基地局装置、通信方法および集積回路
【手続補正３】
【補正対象書類名】明細書
【補正対象項目名】０００１
【補正方法】変更
【補正の内容】
【０００１】
本発明は、複数の移動局装置と基地局装置から構成される通信システムにおいて、上りリンクの制御情報の送受信に用いられるリソースを効率的に制御し、移動局装置が基地局装置に対して効率的に上りリンクの制御情報を含む信号を送信することができ、基地局装置は移動局装置から効率的に上りリンクの制御情報を含む信号を受信することができる端末装置、基地局装置、通信方法および集積回路に関する。